(57)【特許請求の範囲】
【請求項１】
収納棚と、収納棚の下方に配設された引出し収納部と、収納棚の前面側を上下方向に開閉する開閉蓋と、下面に配設されたキャスターを有するキャビネットにおいて、収納棚は背面部と底面部を有する略Ｌ字形に形成され、底面部は前端から後方に向かって下方に傾斜して配設され、引出し収納部と底面部間に前面が開口する第１収納空間が形成されている事を特徴とするキャビネット。
【請求項２】
開閉蓋は、閉鎖時第１収納空間に臨む投函口を有する事を特徴とする請求項１に記載のキャビネット。
【請求項３】
収納棚と、収納棚の下方に配設された引出し収納部と、収納棚の前面側を上下方向に開閉する開閉蓋と、下面に配設されたキャスターを有するキャビネットにおいて、収納棚は背面部と底面部を有する略Ｌ字形に形成され、背面部は上端から下方に向かって前方に傾斜して配設され、背面部とキャビネットの背板間に第２収納空間が形成されると共に、背面部に第２収納空間が臨む開口部が形成されている事を特徴とするキャビネット。
【請求項４】
収納棚と、収納棚の下方に配設された引出し収納部と、収納棚の前面側を上下方向に開閉する開閉蓋と、下面に配設されたキャスターを有するキャビネットにおいて、収納棚は背面部と底面部を有する略Ｌ字形に形成され、底面部は前端から後方に向かって下方に傾斜して配設されて、引出し収納部と底面部間に前面が開口する第１収納空間が形成され、背面部は上端から下方に向かって前方に傾斜して配設されて、背面部とキャビネットの背板間に第２収納空間が形成されると共に、背面部に第２収納空間が臨む開口部が形成され、開閉蓋は閉鎖時第１収納空間に臨む投函口を有する事を特徴とするキャビネット。
【発明の詳細な説明】
【０００１】
【発明の属する技術分野】
本発明は、自席を限定しないオフィス等において使用されるキャビネットに関するものである。
【０００２】
【従来の技術】
オフィス空間は、社員が在室しているか否かによらず、地代、建物償却費、家具償却費、電気代、その他管理費等々を要するものであり、オフィス空間を効率的に使用する事は、多くの事業所にとって、重大な関心事であった。
【０００３】
特に、営業部門、顧客サービス部門等では勤務時間内の外出が多く、全員がオフィス空間の自席で執務する事はなかった。
近年、この点に着目して、特に、営業拠点となるオフィスでは、自席を限定しないオフィス形態を導入し、多数のものが内部の什器（机、椅子等）を共用し、空間利用効率の向上を計った、いわゆる、フリーアドレス、ホットデスキングと呼ばれる執務形態が試みられるようになった。
【０００４】
例えば、特開平１１−２０６４８７号には、複数の人員が共用するテーブルと、上記複数の人員が専用する個人用ワゴンと、上記テーブルから隔離した位置で上位複数の個人用ワゴンを並列的整然と収納するためのワゴン収納空間が形成された什器と、上記複数の人員にそれぞれ宛てられた郵便物を収納する為の専用メールボックスより構成されたものが提案されている。
【０００５】
しかしながら、上記発明によると、個人用ワゴン、メールボックス、ワゴンを収納する什器より構成されているので、全体として高価となるだけでなく、メールボックスと専用ワゴンが別々に構成されているため、メールボックス内の確認作業を失念することがままあるばかりか、メールボックスへの投函作業、或いは取り出し作業を考慮すれば、メールボックスを高所に設置する事は出来ず、メールボックスの下方に設置される（上記発明の図４）専用ワゴンは高さの低いものとなっていた。
この為、専用使用者の専有物（文房具、ノート形パソコン、辞書、伝票類、懸案中書類等）や私有物（写真立て、マスコット人形、飲み物等）を収納するにはには十分ではなかった。
【０００６】
【発明が解決しようとする課題】
本発明は上記問題に鑑みてなされたものであり、簡単な構成で、安価に製作出来、メール等の確認作業を失念する事もなく、十分な収納空間を有し、執務の能率向上にも役立つ、フリーアドレス用のキャビネットを提供する事を課題とする。
【０００７】
【課題を解決する為の手段】
そこで、上記課題を解決する為、本発明の第１の手段として構成したところは、収納棚と、収納棚の下方に配設された引出し収納部と、収納棚の前面側を上下方向に開閉する開閉蓋と、下面に配設されたキャスターを有するキャビネットにおいて、収納棚は背面部と底面部を有する略Ｌ字形に形成され、底面部は前端から後方に向かって下方に傾斜して配設され、引出し収納部と底面部間に前面が開口する第１収納空間が形成されているものである。
【０００８】
次に、本発明が第２の手段として構成したところは、開閉蓋は、閉鎖時第１収納空間に臨む投函口を有するものである。
次に、本発明が第３の手段として構成したところは、収納棚と、収納棚の下方に配設された引出し収納部と、収納棚の前面側を上下方向に開閉する開閉蓋と、下面に配設されたキャスターを有するキャビネットにおいて、収納棚は背面部と底面部を有する略Ｌ字形に形成され、背面部は上端から下方に向かって前方に傾斜して配設され、背面部とキャビネットの背板間に第２収納空間が形成されると共に、背面部に第２収納空間が臨む開口部が形成されているものである。
次に、本発明が第４の手段として構成したところは、収納棚と、収納棚の下方に配設された引出し収納部と、収納棚の前面側を上下方向に開閉する開閉蓋と、下面に配設されたキャスターを有するキャビネットにおいて、収納棚は背面部と底面部を有する略Ｌ字形に形成され、底面部は前端から後方に向かって下方に傾斜して配設されて、引出し収納部と底面部間に前面が開口する第１収納空間が形成され、背面部は上端から下方に向かって前方に傾斜して配設されて、背面部とキャビネットの背板間に第２収納空間が形成されると共に、背面部に第２収納空間が臨む開口部が形成され、開閉蓋は閉鎖時第１収納空間に臨む投函口を有するものである。
【０００９】
【実施例】
以下、本発明を添付図面に基づいて説明する。
図１において、符号１は本発明のキャビネットを示し、符号２は机の天板高さ（７００ミリ）に対応する位置に配設された収納棚を示し、符号３は収納棚２の下方に配設された引出し収納部を示し、符号５は収納棚２の前面側を上下方向に開閉する開閉蓋を示し、符号６・・・は下面に配設されたキャスターを示し、符号７、７は下方部が引出し収納部３の側部に連結された側板を示し、符号８は、引出し収納部３の上方で、側板７、７間の後端部に配設され背板を示している。  そして、キャビネット１の外形寸法を高さ方向で１０５５．５ミリ、幅方向で５５０ミリ、奥行方向で４３０ミリに構成され、不使用時はワークエリアの妨げにならない場所に設置され、使用時には机に近接するよう使用者の横側に移動して使用される。
【００１０】
収納棚２は、左右端部が側板７、７に連結された背面部２１、と底面部２２より断面略Ｌ字形に形成され、背面部２１の上部と底面部２２の前後端部には左右方向に所定間隔を有して、仕切板２３を係脱自在に支持する仕切板係止溝２４・・・が形成され、背面部２１の中央部には開口部２５が形成されている。
そして、収納棚２は、引出し収納部３の上方で、底面部２２が、前端から後方に向かって下方に傾斜し、背面部２１が、上端から下方に向かって前方に傾斜するよう配設され、引出し収納部３と底面部２２間に前面が開口する第１収納空間３０が構成され、背面部２１とキャビネット１の背板８間に開口部２５が臨む第２収納空間２０が形成されている。
【００１１】
すなわち、収納棚２には書類等が綴じられた使用頻度の高いバインダー、ファイル等が、見出し部を前面にして収納されて、使用者から目視しやすく、出し入れを容易となし、しかも、開口部２５から第２収納空間２０に収納された写真立て（家族等の写真を入れたもの）、マスコット人形等の私物を一部隠蔽する。
そして、キャビネット１の使用時には、机上にバインダー、ファイル等を取り出す事により、第２収納空間２０内のマスコット人形、或いは第２収納空間２０内から机上に取り出した写真立て等が執務環境を和らげるよう利用される。
【００１２】
又、第１収納空間３０は、キーボード、文具等の小物類を収納したり、望ましくは、後記する開閉蓋５の投函口（把手孔）５１を第１収納空間の開口に臨ませて形成することにより、専用の使用者が在席していない時には、郵便物、ファックス等を、投函口５１より投入しておく事により、メールボックスとして使用することができる。
さらに、第１収納空間３０は、キャビネットの使用時、机の天板に近接するので、郵便物等の確認を失念することがない。
【００１３】
引出し収納部３は、左右側面板３１、３１、上面板３２、底面板３３、背面板３４より前面が開口する箱状の本体に、上段引出し３５、中段引出し３６、下段引出し３７を配設して構成されており、各引出し３５、３６、３７にはそれぞれ引手３８・・・がもうけられ、上面板３２の前端面に設けられた錠前３９と全施錠装置（図示せず。）によって各引出し３５、３６、３７は同時に解施錠されるが、望ましくは、錠前３９に連動して開閉蓋５の解施錠も同時に行えるようにするのが良い。
そして、底面板３３の４隅下面にはストッパー機能を有するキャスター６・・・が設けられ、キャビネット１を移動可能とすると共に、所望位置で移動不能としている。
【００１４】
符号２６は、開閉蓋５の下端部が前端面にて当接し、開閉蓋５の閉鎖姿勢を維持する、引出収納部３の上面板３２の上面に配設された上下仕切板を示し、符号２７は、収納棚２の底面部２２と上下仕切板と左右側板７、７間に配設された前後仕切板を示している。
引出し収納部３は上記の如く構成され、上段引出し３５にはペントレー３５１が着脱自在に設けられ、文具、電卓、伝票等が収納され、中段引出し３６にはノート型パソコン等が収納され、下段引出し３７には書類等のフォルダーが収納される。
符号３７０は、下段引出し３７の下面前端部に連結部材を介して設けられた引出しキャスターである。
【００１５】
側板７、７は対向した同形に形成されているので、一方側についてのみ説明する。
側板７は上部が円弧状に形成された板状で、前後方向中央部の高さ方向に形成された飾り板取付孔に、パンチングメタルからなる飾り板７１を上端を空かして取付、飾り板取付孔の上端部に、キャビネット１の移動用把手部７２が形成され、移動用把手部７２の上方に、スチール板を両面テープ等で貼り付けて、マグネットの名札が吸着される名札取付部７３が形成されている。
【００１６】
背板８は、側板７の円弧状上端部に沿って、側板７の前後方向略中央部まで達する円弧状に上半部が形成され、下半部が側板７の後端部に沿って垂直状に形成され、側板７、７の後端部上部間に配設されている。
【００１７】
開閉蓋５は、側板７の円弧状上端部に沿って、側板７の前後方向略中央部まで達する円弧状の上半部５１と、側板７の前端部に沿った垂直状の下半部５２より、アクリル樹脂材にて一体に形成されており、下半部の下端に後方に突出し閉鎖時に、前記上下仕切板２６の前端にクッション材を介して当接する当接端部５２１が形成され、下半部５２の下方で前記第１収納空間３０が臨む位置に、開閉蓋５の開閉用の把手を兼用する横長状の投函口５２２（開閉用把手部）が形成されている。
そして、投函口５２２の上方裏面には補強材５２３が左右方向全幅に渡って設けられ、補強材の左右側端部には回転アーム５３の端部が連結され、回転アーム５３の他端部は、側板上部内面に固定され、所定の回転力が負荷されて回転する回転ダンパー５４に連結されている。
【００１８】
すなわち、開閉蓋５は、閉鎖状態（図３に示す。）から、投函口５２２に指先を引っかけて上方に持ち上げられると、回転ダンパー５４を中心として回転アーム５３が回動することで、上半部５１は背板８の上方から後方位置に移動して、背板８の上部後方に所定間隔を有して重なり合い、下半部５２は背板８の上端に近接した上方位置でほぼ水平状態となり、開放姿勢が維持される。（図３の仮想線に示す。）
すなわち、開閉蓋５は開放姿勢でキャビネット１の前方、或いは側方に飛び出したり、又は、後方に大きく飛び出す事がないので、使用状態において、使用者あるいは、他の使用者の執務の邪魔にならず使い勝手が良い。
又、開閉蓋５の閉鎖時は回転ダンパー５４を使用しているので、開閉蓋５の荷重によって急激に閉鎖する事もない。
尚、実施例では、開閉蓋５は上半部５１を円弧状となしたアクリル板より構成されているが材料を限定するものではなく、又、回動アーム５３回転ダンパー５４を使用した開閉機構を採用しているが、開閉機構を限定するものではなく、例えば、合成樹脂、スチール、あるいは木製等のシャッターを使用しても、同様の効果を得る事が出来る。
【００１９】
【発明の効果】
請求項１に記載の発明によれば、収納棚が傾斜してもうけられているので、収納物の目視での確認がたやすく、しかも出し入れもより容易である。
さらに、引出し収納部と底面部間に第１収納空間が形成されるので、キーボードを収納したり、ペントレーを載置したり、或いはメールボックとして使用でき、非常に使い勝手が良い。
【００２１】
請求項２に記載の発明によれば、上記効果に加え、閉鎖時に、第１収納空間に臨む投函口を開閉蓋に設ける事により、専用使用者が在席していなくとも、確実に郵便物等を投函出来、手渡しを忘れたり、紛失したりする事がない。
請求項３に記載の発明によれば、上記効果に加え、背面部とキャビネットの背板間に第２収納空間が形成されているので、私物の保管が容易であり、特に家族の写真を写真立てを収納しておけば、執務中でも簡単に机上に載置出来、執務の雰囲気を和らげる事が出来る。
【００２２】
請求項４に記載の発明によれば、開閉蓋は上下方向で開閉自在としているので、使用者あるいは、他の使用者の執務の邪魔にならず使い勝手が良い。又、下面にキャスターが設けられているので、キャビネットの移動が容易である。
さらに、収納棚が傾斜してもうけられているので、収納物の目視での確認がたやすく、しかも出し入れもより容易であり、引出し収納部と底面部間に第１収納空間が形成されるので、キーボードを収納したり、ペントレーを載置したり、或いはメールボックとして使用でき、非常に使い勝手が良い。
そして、閉鎖時に、第１収納空間に臨む投函口を開閉蓋に設ける事により、専用使用者が在席していなくとも、確実に郵便物等を投函出来、手渡しを忘れたり、紛失したりする事がない。
又、背面部とキャビネットの背板間に第２収納空間が形成されているので、私物の保管が容易であり、特に家族の写真を写真立てを収納しておけば、執務中でも簡単に机上に載置出来、執務の雰囲気を和らげる事が出来る。
【図面の簡単な説明】
【図１】    本発明の斜視図。
【図２】    本発明の開閉蓋を開放した状態の斜視図。
【図３】    本発明の要部横断面図。
【符号の説明】
１                キャビネット
２                収納棚
２０              第２収納空間
２１              背面部
２２              底面部
２５              開口部
３                引出し収納部
３０              第１収納空間
５                開閉蓋
５１              投函口
７               側板
８                背板
【図１】
0003771808.tif 000002
【図２】
0003771808.tif 000003
【図３】
0003771808.tif 000004